(57)【要約】【課題】  運動施設利用者が、それぞれの身体状況とトレーニング目的に適したトレーニングメニューを適切に実行することができ、通信時間を軽減でき、システム管理サーバ負荷も軽減でき、運動施設にかかる経費も節減することができるような運動支援システムを得る。【解決手段】  運動施設利用者端末に、トレーニングメニューデータベースと、トレーニングメニュー情報解析手段と、トレーニングメニュー表示手段と、利用者情報入力更新手段とからなるアプリケーションをダウンロードし  管理サーバから、熟練した指導者が作成したトレーニングメニュー情報を利用者端末にダウンロードして、運動施設利用者はアプリケーションに表示されるトレーニングメニューを見ることで目的に適ったトレーニングメニューを実施できるように構成する。【選択図】        図１
2015083105.tif 000002
【特許請求の範囲】
【請求項１】
運動施設利用者が使用する利用者端末と、
運動施設利用者情報を蓄積する利用者データベースと
トレーニングメニューの具体的な内容を蓄積するトレーニングメニューデータベースと
利用者端末用のアプリケーションの情報を蓄積するアプリケーションデータベースと
管理サーバと
からなり、
前記利用者端末は、
種目別のトレーニングメニューの具体的な内容を蓄積するトレーニングメニューデータベースと、通信ネットワークを通じて管理サーバから送信される利用者個人ごとのトレーニングメニューの組み合わせであるトレーニングメニュー情報の解析手段と、トレーニングメニュー情報に基づきトレーニングメニューの具体的な内容を表示するトレーニングメニュー表示手段と、通信ネットワークを通じて管理サーバと接続して前記利用者データベースの運動施設利用者情報を入力及び更新する利用者情報入力更新手段と
からなるアプリケーションを備え
前記管理サーバは、
利用者データベースに記録された運動施設利用者情報を照会する利用者情報照会手段と、利用者情報とトレーニングメニュー情報に基づき運動施設利用者ごとのトレーニングメニューを作成するトレーニングメニュー作成手段と、通信ネットワークを通じて利用者端末にダウンロードされるトレーニングメニュー情報生成手段と、前記利用者端末用のアプリケーションと前記トレーニングメニュー情報とを前記利用者端末にダウンロードするダウンロード手段と、運動施設利用者情報を更新する利用者情報更新手段と、
を備えていること
を特徴とする運動支援システム。
【請求項２】
運動施設に配置される運動施設用端末と、
運動施設利用者が使用する利用者端末と、
運動施設利用者情報を蓄積する利用者データベースと
トレーニングメニューの具体的な内容を蓄積するトレーニングメニューデータベースと
利用者端末用のアプリケーションの情報を蓄積するアプリケーションデータベースと
管理サーバと
からなり、
前記運動施設用端末は、
通信ネットワークを通じて管理サーバと接続して前記利用者データベースの運動施設利用者情報を入力及び更新する利用者情報入力更新手段を備え
前記利用者端末は、
種目別のトレーニングメニューの具体的な内容を蓄積するトレーニングメニューデータベースと、通信ネットワークを通じて管理サーバから送信される利用者個人ごとのトレーニングメニューの組み合わせであるトレーニングメニュー情報の解析手段と、トレーニングメニュー情報に基づきトレーニングメニューの具体的な内容を表示するトレーニングメニュー表示手段と、通信ネットワークを通じて管理サーバと接続して前記利用者データベースの運動施設利用者情報を更新する利用者情報更新手段と
を備え、
前記管理サーバは、
利用者データベースに記録された運動施設利用者情報を照会する利用者情報照会手段と、利用者情報とトレーニングメニュー情報に基づき運動施設利用者ごとのトレーニングメニューを作成するトレーニングメニュー作成手段と、通信ネットワークを通じて利用者端末にダウンロードされるトレーニングメニュー情報生成手段と、前記利用者端末用のアプリケーションと前記トレーニングメニュー情報とを前記利用者端末にダウンロードするダウンロード手段と、運動施設利用者情報を更新する利用者情報更新手段と、
を備えていることを特徴とする運動支援システム。
【請求項３】
請求項１乃至請求項２のいずれか１項に記載の運動支援システムにおいて、
前記利用者データベースに蓄積される運動施設利用者情報者情報は、
運動施設利用者の氏名、性別、年齢、ＩＤ番号、パスワード、電子メールアドレス、利用者が選択するトレーニングの目的等とからなる利用者登録情報と、運動施設利用者の身長、体重、体脂肪率等からなる利用者身体データ詳細情報と、運動施設利用者の行うべきトレーニングメニューの組み合わせ等からなるトレーニングメニュー情報とから構成されていること
を特徴とするトレーニング運動支援システム。
【請求項４】
請求項１又は請求項３のいずれか１項に記載の運動支援システムにおいて、
前記利用者データベースに蓄積される利用者身体データ詳細情報は、
通信ネットワークに接続されたデジタル式身体情報計測手段から利用者端末に送信され、前記利用者情報更新手段によって入力及び更新されること
を特徴とする運動支援システム。
【請求項５】
請求項２又は請求項３のいずれか１項に記載の運動支援システムにおいて、
前記利用者データベースに蓄積される利用者身体データ詳細情報は、
通信ネットワークを通じて、身体情報計測手段から運動施設用端末に送信され、前記利用者情報更新手段によって入力及び更新されること
を特徴とする運動支援システム。
【請求項６】
請求項１乃至請求項５のいずれか１項に記載の運動支援システムにおいて、
前記利用者端末のアプリケーションのトレーニングメニュー表示手段が、テキストデータと、静止画像データと、音声データと、動画データと、
を表示する手段から構成されていることを特徴とする運動支援システム。
【請求項７】
請求項１乃至請求項６のいずれか１項に記載の運動支援システムにおいて、
前記トレーニングメニュー作成手段は、
前記利用者データベースに蓄積された利用者登録情報の運動施設利用者の年齢、性別、トレーニングの目的情報と、利用者身体データ詳細情報の組み合わせに基づいて、あらかじめ設定されたトレーニングメニューの種目、トレーニングメニューを実行する順番、トレーニングの種目においてかけるべき負荷、トレーニングの種目を実行する時間の長さを導き出すトレーニングメニュー自動作成手段を備えていることを特徴とする運動支援システム。
【発明の詳細な説明】
【技術分野】
【０００１】
本発明は、通信ネットワークを通じて運動施設を利用する利用者の運動を遠隔的に支援する運動支援システムに関する。
【背景技術】
【０００２】
運動施設を利用する利用者は、年齢、性別、身長、体重、体脂肪率などの身体状況がそれぞれ異なり、さらに健康維持、筋力向上、競技参加、体型改善など、利用者が運動を通じて達成したい目標はさまざまであることから、各利用者にそれぞれ適したトレーニングメニューが作成されそのメニュー通りに適切に運動できるように指導されることについての需要が増加している。
【０００３】
しかし、各利用者にそれぞれ適したトレーニングメニューを作成し、それを適切に指導するためには、トレーニングメニューの作成と、トレーニングの指導の両方について熟練した指導者が必要であるが、このような指導者を多くの利用者のニーズに対応できるほどの人数を確保することは困難であるという問題があり、また、熟練した指導者を数多く確保すれば、人件費が高騰し、利用料金を上げなければ人件費が経営を圧迫し、利用料金を上げれば利用者が減少する可能性があるという問題もある。
【０００４】
このような問題を解決するために、カメラにより撮像された利用者の運動画像データと、指導者端末から送られた指導者の運動画像データとを、時間的な同期をとって１画面に編集してディスプレイに表示し、また、上記表示動作と並行して、上記利用者の運動画像データと、体型を近づけるためのＣＧ加工が施された指導者の運動画像データとを、監視対象部位別に比較してその動きの差分を検出し、この検出された動きの差分が判定しきい値を超えている場合に、スピーカからアラーム音を出力するようにしたシステムが知られている（特許文献１）。
【先行技術文献】
【特許文献】
【０００５】
【特許文献１】特開２００６−３０２１２２号公報
【発明の概要】
【発明が解決しようとする課題】
【０００６】
しかし、上記のシステムは通信データ量が多く、利用者の端末に情報を送信する時間が長くなってしまったり、通信障害が発生してしまったりするおそれがあった。
【０００７】
また、通信障害が発生していなくても、多数の利用者がサーバにアクセスすると、サーバに負担がかかり、各利用者端末に適切な情報を送信できなくなる可能性もある。
【０００８】
さらに、利用者がトレーニングを行う際にその運動画像を撮影できるようにしなければならないので、設備に経費がかかる上に、運動施設の間取りによれば、運動施設内の運動用具の配置を効率よく行うことができなくなりかねず、運動施設にかかる経費が割高になるという問題もある。
【０００９】
本発明はこのような事情に鑑みてなされたものであり、少数の熟練した指導者により運動施設利用者に、それぞれの身体状況とトレーニング目的に適したトレーニングメニューを作成することができ、利用者がそのメニューを適切に実行することができ、トレーニングメニューを送信する際の送信データ量を軽減し、システムを管理するサーバにも大きな負荷がかからないようにして、かつ。運動施設にかかる経費も節減することができるような運動支援システムを提供することを目的とする。
【課題を解決するための手段】
【００１０】
このような目的に応えるために本発明に係る運動支援システム（請求項１に記載の発明）は、運動施設利用者が使用する利用者端末と、運動施設利用者情報を蓄積する利用者データベースとトレーニングメニューの具体的な内容を蓄積するトレーニングメニューデータベースと利用者端末用のアプリケーションの情報を蓄積するアプリケーションデータベースと管理サーバとからなり、前記利用者端末は、種目別のトレーニングメニューの具体的な内容を蓄積するトレーニングメニューデータベースと、通信ネットワークを通じて管理サーバから送信される利用者個人ごとのトレーニングメニューの組み合わせであるトレーニングメニュー情報の解析手段と、トレーニングメニュー情報に基づきトレーニングメニューの具体的な内容を表示するトレーニングメニュー表示手段と、通信ネットワークを通じて管理サーバと接続して前記利用者データベースの運動施設利用者情報を入力及び更新する利用者情報入力更新手段とからなるアプリケーションを備え  前記管理サーバは、利用者データベースに記録された運動施設利用者情報を照会する利用者情報照会手段と、利用者情報とトレーニングメニュー情報に基づき運動施設利用者ごとのトレーニングメニューを作成するトレーニングメニュー作成手段と、通信ネットワークを通じて利用者端末にダウンロードされるトレーニングメニュー情報生成手段と、前記利用者端末用のアプリケーションと前記トレーニングメニュー情報とを前記利用者端末にダウンロードするダウンロード手段と、運動施設利用者情報を更新する利用者情報更新手段と、を備えていることを特徴とする。
【００１１】
このような構成によれば、前記トレーニングメニュー作成手段で作成したトレーニングメニューの構成についてのデータを前記トレーニングメニュー情報生成手段により単なるコードの組み合わせのようなデータ量の少ないトレーニングメニューを生成しそれを利用者端末に送信し、前記利用者端末が備えているアプリケーションのトレーニングメニューデータベースに記憶されたテキストや画像からなるトレーニングメニューの具体的な内容を前記トレーニングメニュー表示手段によって前記利用者端末に表示することによって、通信データ量は少なくても、利用者が自分だけのために作成されたトレーニングメニューを前記利用者端末に表示されたデータから把握することができ、そこに表示されたデータに従って運動することで、各運動施設に熟練した指導者がいない場合でも、利用者自身の身体状況と希望に沿ったトレーニングを実施することができるという利点がある。
【００１２】
このような目的に応えるために本発明に係る運動支援システム（請求項２に記載の発明）は、運動施設に配置される運動施設用端末と、運動施設利用者が使用する利用者端末と、運動施設利用者情報を蓄積する利用者データベースとトレーニングメニューの具体的な内容を蓄積するトレーニングメニューデータベースと利用者端末用のアプリケーションの情報を蓄積するアプリケーションデータベースと管理サーバとからなり、前記運動施設用端末は、通信ネットワークを通じて管理サーバと接続して前記利用者データベースの運動施設利用者情報を入力及び更新する利用者情報入力更新手段を備え  前記利用者端末は、種目別のトレーニングメニューの具体的な内容を蓄積するトレーニングメニューデータベースと、通信ネットワークを通じて管理サーバから送信される利用者個人ごとのトレーニングメニューの組み合わせであるトレーニングメニュー情報の解析手段と、トレーニングメニュー情報に基づきトレーニングメニューの具体的な内容を表示するトレーニングメニュー表示手段と、通信ネットワークを通じて管理サーバと接続して前記利用者データベースの運動施設利用者情報を更新する利用者情報更新手段とを備え、前記管理サーバは、利用者データベースに記録された運動施設利用者情報を照会する利用者情報照会手段と、利用者情報とトレーニングメニュー情報に基づき運動施設利用者ごとのトレーニングメニューを作成するトレーニングメニュー作成手段と、通信ネットワークを通じて利用者端末にダウンロードされるトレーニングメニュー情報生成手段と、前記利用者端末用のアプリケーションと前記トレーニングメニュー情報とを前記利用者端末にダウンロードするダウンロード手段と、運動施設利用者情報を更新する利用者情報更新手段と、を備えていることを特徴とする。
【００１３】
このような構成によれば、フィットネスクラブやトレーニングジム等の運動施設において、特にフランチャイズ展開等を行う場合に、運動施設利用者の会員登録や登録情報の入力作業を行う際において、前記利用者端末からすべての入力を行うよりも手続を簡素化し、事務管理の効率を高めることにより、運動施設利用者の利便性を向上させることができるという利点がある。
【００１４】
本発明に係る運動支援システム（請求項３に記載の発明）は、請求項１乃至請求項２のいずれか１項に記載の運動支援システムにおいて、前記利用者データベースに蓄積される運動施設利用者情報者情報は、運動施設利用者の氏名、性別、年齢、ＩＤ番号、パスワード、電子メールアドレス、利用者が選択するトレーニングの目的等とからなる利用者登録情報と、運動施設利用者の身長、体重、体脂肪率等からなる利用者身体データ詳細情報と、運動施設利用者の行うべきトレーニングメニューの組み合わせ等からなるトレーニングメニュー情報とから構成されていることを特徴とする。
【００１５】
このような構成によれば、熟練した指導者が前記トレーニングメニュー作成手段により、運動施設利用者の年齢、性別、人体データ詳細情報、選択されたトレーニングの目的等から総合的に判断してトレーニングメニューの作成を行う作業を一括して行うことができ、作成されたトレーニングメニューを、個別の運動施設利用者に対応して配信することができるという利点がある。
【００１６】
本発明に係る運動支援システム（請求項４に記載の発明）は、請求項１又は請求項３のいずれか１項に記載の運動支援システムにおいて、前記利用者データベースに蓄積される利用者身体データ詳細情報は、通信ネットワークに接続されたデジタル式身体情報計測手段から利用者端末に送信され、前記利用者情報更新手段によって入力及び更新されることを特徴とする。
【００１７】
このような構成によれば、運動施設への会員登録の際や、トレーニングの成果による身体データ詳細情報を、迅速に入力、更新することができるという利点がある。
【００１８】
本発明に係る運動支援システム（請求項５に記載の発明）は、請求項２又は請求項３のいずれか１項に記載の運動支援システムにおいて、前記利用者データベースに蓄積される利用者身体データ詳細情報は、通信ネットワークを通じて、身体情報計測手段から運動施設用端末に送信され、前記利用者情報更新手段によって入力及び更新されることを特徴とする。
【００１９】
このような構成によれば、利用者身体データ詳細情報の入力、更新の際に運動施設利用者端末をその都度起動させる必要がなく、手続を簡素化し、事務管理の効率を高めることにより、運動施設利用者の利便性を向上させることができるという利点がある。
【００２０】
本発明に係る運動支援システム（請求項６に記載の発明）は、請求項１乃至請求項５のいずれか１項に記載の運動支援システムにおいて、前記利用者端末のアプリケーションのトレーニングメニュー表示手段が、テキストデータと、静止画像データと、音声データと、動画データと、を表示する手段から構成されていることを特徴とする。
【００２１】
このような構成によれば、運動施設利用者は、自分のために構成されたトレーニングメニューの実施方法を理解するために、その状況に応じて最も理解しやすい表示を選択することにより、熟練した指導者がその場にいなくてもトレーニングを適切に行って所定の効果を得ることができるという利点がある。
【００２２】
本発明に係る運動支援システム（請求項７に記載の発明）は、請求項１乃至請求項６のいずれか１項に記載の運動支援システムにおいて、前記トレーニングメニュー作成手段は、前記利用者データベースに蓄積された利用者登録情報の運動施設利用者の年齢、性別、トレーニングの目的情報と、利用者身体データ詳細情報の組み合わせに基づいて、あらかじめ設定されたトレーニングメニューの種目、トレーニングメニューを実行する順番、トレーニングの種目においてかけるべき負荷、トレーニングの種目を実行する時間の長さを導き出すトレーニングメニュー自動作成手段を備えていることを特徴とする。
【００２３】
このような構成によれば、熟練した指導者が、あらかじめ運動施設利用者情報の各データについて複数の連続する閾値範囲を設けておいて、それぞれの閾値範囲の組み合わせ結果に対応するトレーニング種目の種類、トレーニング種目を実行する順番、トレーニング種目別のかけるべき負荷、各トレーニング種目を継続する時間、反復回数等をあらかじめ設定しておき、各運動施設利用者に対してトレーニングメニューを作成する時間が短縮され、運動施設利用者が速やかに自分のために作成されたトレーニングメニューを実施できることができる上に、トレーニングメニューを消化することにより身体データ詳細情報が変化した場合や、身体能力の変化により運動施設利用者がトレーニングの目的を変更した場合等に、速やかにトレーニングメニューの組み直しを行うことができるという利点がある。
【発明の効果】
【００２４】
以上説明したように本発明に係る運動支援システムによれば、通信データ量やサーバへの負担を軽減した上で、人件費や設備費への投資を抑えつつ、運動施設利用者に対し熟練した指導者から受ける指導と同様のトレーニングメニューが作成され、かつ、運動施設利用者が熟練した指導者からトレーニング指導を遠隔的に受けられるのと同様のトレーニング効果を得ることができるという優れた効果がある。
【図面の簡単な説明】
【００２５】
【図１】本発明に係る運動支援システムの一実施例を示し、システム全体のフロー図である。
【図２】図１におけるシステム全体のブロック図である。
【図３】図１における管理サーバのブロック図である。
【図４】図１における利用者端末のブロック図である。
【図５】図２における利用者データベースのブロック図である。
【図６】図２における利用者端末の表示画面例である。
【図７】本発明に係る運動支援システムの第２の実施例を示し、システム全体のフロー図である。
【図８】図７におけるシステム全体のブロック図である。
【図９】本発明に係る運動支援システムの第３の実施例を示し、システム全体のブロック図である。
【図１０】本発明に係る運動支援システムの第４の実施例を示し、システム全体のブロック図である。
【図１１】本発明に係る適性検査システムの第５の実施例を示し、利用者端末の表示画面例である。
【図１２】本発明に係る適性検査システムの第６の実施例を示し、管理サーバにおいて利用者情報から自動的にトレーニングメニューを選択する際の第1のフロー図である。
【図１３】図１２に続く第２のフロー図である。
【図１４】図１３に続く第３のフロー図である。
【発明を実施するための形態】
【００２６】
本発明は以上のような構成であるので、これを図面に基づきながら本発明の実施の形態を説明する。
【実施例１】
【００２７】
図１乃至図６は本発明に係る運動支援システムの一実施例を示す。
これらの図において、全体を符号１で示すものは本発明を特徴づける運動支援システムである。
【００２８】
図１乃至図６において、本発明に係る運動支援システムにおける登録から利用者がトレーニングメニューを実施終了するまでの流れを示している。
【００２９】
図１では以下に述べる利用者の登録から利用者がトレーニングメニューを実施終了するまでの流れを概括的に示す。図２に示す運動支援システムにおいて、利用者が運動施設に会員登録を行うのに先立ち、図４に示す利用者端末２０には図３に示す管理サーバ１０からアプリケーションをダウンロードしておく。フィットネスクラブ、トレーニングジム等の運動施設において利用者の会員登録を受け付ける際に、運動施設の受付担当者が利用者端末２０から通信ネットワーク４０を通じて検査サーバ１０にアクセスして利用者の氏名・ＩＤ番号・パスワード・電子メールアドレス・性別・年齢等の運動施設利用者情報を送信し、管理サーバ１０経由で図５に示す利用者データベース１１に、利用者登録情報１１０と利用者身体データ詳細情報１１１が登録される。
【００３０】
運動施設利用者は入会後に、利用者端末２０から管理サーバ１０にアクセスして、利用者情報更新手段２０４により運動施設利用の目的を送信し、利用者データベース１１の利用者登録情報１１０が更新される。
【００３１】
運動施設におけるトレーニングメニューの作成担当者は、新入会員があると管理サーバ１０から利用者データベース１１にアクセスし、利用者登録情報１１０と利用者身体データ詳細情報１１１に基づき利用者ごとのトレーニングメニューを作成し、作成が終了したら管理サーバ１０から利用者データベース１１にアクセスし、トレーニングメニュー情報を入力し、利用者情報データベース１１にトレーニングメニュー情報１１２が登録される。
【００３２】
運動施設利用者は運動施設の利用に際して、利用者端末２０から管理サーバ１０にアクセスし、利用者データベース１１のトレーニングメニュー情報１１２にアクセスし、ダウンロードを請求する。管理サーバで１０はトレーニングメニュー情報生成手段１０２により、当該利用者のために作成されたトレーニングメニューを送信するための、たとえば各トレーニング種目ごとに付されたコードの組み合わせデータであるトレーニングメニュー情報を作成し、ダウンロード手段１０３によりトレーニングメニュー情報を利用者端末にダウンロードする。
【００３３】
利用者端末２０では、トレーニングメニュー情報解析手段２０２によりトレーニングメニュー情報を解析し、解析結果をトレーニングメニューデータベース２０１のトレーニングメニューの各種目及びその順番等と紐付けする。図６はトレーニングメニュー情報表示手段２０３により利用者端末２０にトレーニングメニューがテキストと画像によって表示されている状態の例である。
【００３４】
本発明に係る運動支援システム１により、運動施設利用者は以上のような手順で、利用者端末２０の表示に従うことにより、運動施設に熟練した指導者がいなくても、熟練した指導者が作成したトレーニングメニューを熟練した指導者から遠隔指導を受けているような状態で、トレーニングメニューを実施することができる。
【実施例２】
【００３５】
図７乃至図８は本発明に係る適性検査システムの一実施例を示す。
これらの図において、全体を符号１で示すものは本発明を特徴づける適性検査システムである。
【００３６】
図７乃至図８において、本発明に係る運動支援システムにおける登録から利用者がトレーニングメニューを実施終了するまでの流れを示している。
【００３７】
図７では以下に述べる利用者の登録から利用者がトレーニングメニューを実施終了するまでの流れを概括的に示す。図８に示す運動支援システムにおいて、利用者が運動施設に会員登録を行うのに先立ち、利用者端末２０には管理サーバ１０からアプリケーションをダウンロードしておく。フィットネスクラブ、トレーニングジム等の運動施設において利用者の会員登録を受け付ける際に、運動施設の受付担当者が運動施設端末３０から通信ネットワーク４０を通じて検査サーバ１０にアクセスして利用者の氏名・ＩＤ番号・パスワード・電子メールアドレス・性別・年齢等の運動施設利用者情報を送信し、管理サーバ１０経由で利用者データベース１１に、利用者登録情報１１０と利用者身体データ詳細情報１１１が登録される。
【００３８】
以降は、第１の実施例と同様であり、本発明に係る運動支援システム１により、運動施設利用者は以上のような手順で、利用者端末２０の表示に従うことにより、運動施設に熟練した指導者がいなくても、熟練した指導者が作成したトレーニングメニューを熟練した指導者から遠隔指導を受けているような状態で、トレーニングメニューを実施することができる上に、受付処理も利用者にとってより利便性が高いものとなる。
【実施例３】
【００３９】
図９は本発明に係る適性検査システムの一実施例を示す。
この図において、全体を符号１で示すものは本発明を特徴づける適性検査システムである。
【００４０】
利用者が運動施設に会員登録を行うのに先立ち、利用者端末２０には管理サーバ１０からアプリケーションをダウンロードしておく。フィットネスクラブ、トレーニングジム等の運動施設において利用者の会員登録を受け付ける際に、運動施設の受付担当者が利用者端末２０から通信ネットワーク４０を通じて検査サーバ１０にアクセスして利用者の氏名・ＩＤ番号・パスワード・電子メールアドレス・性別・年齢等の運動施設利用者情報を送信し、管理サーバ１０経由で利用者データベース１１に、利用者登録情報１１０と利用者身体データ詳細情報１１１が登録されるが、利用者身体データ詳細情報１１１の入力に際しては、身体データをデジタル方式の身体情報計測手段５０で計測し、そのデータ及びデータから計算されるＢＭＩ値などを、身体情報計測手段５０を通信ネットワーク４０を通じて利用者端末２０から管理サーバを経て利用者データベース１１に送信することにより、利用者データベース１１に利用者身体データ詳細情報１１１が登録される。
【００４１】
以降は、第１の実施例と同様であり、本発明に係る運動支援システム１により、運動施設利用者は以上のような手順で、利用者端末２０の表示に従うことにより、運動施設に熟練した指導者がいなくても、熟練した指導者が作成したトレーニングメニューを熟練した指導者から遠隔指導を受けているような状態で、トレーニングメニューを実施することができる上に、受付処理も利用者にとってより利便性が高いものとなる。
【実施例４】
【００４２】
図１０は本発明に係る適性検査システムの一実施例を示す。
この図において、全体を符号１で示すものは本発明を特徴づける適性検査システムである。
【００４３】
利用者が運動施設に会員登録を行うのに先立ち、利用者端末２０には管理サーバ１０からアプリケーションをダウンロードしておく。フィットネスクラブ、トレーニングジム等の運動施設において利用者の会員登録を受け付ける際に、運動施設の受付担当者が運動施設端末３０から通信ネットワーク４０を通じて検査サーバ１０にアクセスして利用者の氏名・ＩＤ番号・パスワード・電子メールアドレス・性別・年齢等の運動施設利用者情報を送信し、管理サーバ１０経由で利用者データベース１１に、利用者登録情報１１０と利用者身体データ詳細情報１１１が登録されるが、利用者身体データ詳細情報１１１の入力に際しては、身体データをデジタル方式の身体情報計測手段５０で計測し、そのデータ及びデータから計算されるＢＭＩ値などを、身体情報計測手段５０を通信ネットワーク４０を通じて運動施設端末３０から管理サーバを経て利用者データベース１１に送信することにより、利用者データベース１１に利用者身体データ詳細情報１１１が登録される。
【００４４】
以降は、第１の実施例と同様であり、本発明に係る運動支援システム１により、運動施設利用者は以上のような手順で、利用者端末２０の表示に従うことにより、運動施設に熟練した指導者がいなくても、熟練した指導者が作成したトレーニングメニューを熟練した指導者から遠隔指導を受けているような状態で、トレーニングメニューを実施することができる上に、受付処理が運動施設端末において行われるので、利用者の負担はさらに軽減され、利用者にとってより利便性が高いものとなる。
【実施例５】
【００４５】
図１１は本発明に係る適性検査システムの一実施例を示す。
【００４６】
利用者端末２０にあらかじめダウンロードされているトレーニングメニューデータベース２０１にテキストデータや画像データだけでなく、動画データや音声データも記憶させておくことで、利用者はトレーニングメニューの実施方法についてより深く理解することができ、熟練した指導者が運動施設に常駐していなくても、トレーニングメニューを適切に実施することができる。図１１はトレーニングメニュー情報表示手段２０３により利用者端末２０にトレーニングメニューが動画によって表示されている状態の例である。
【実施例６】
【００４７】
図１２乃至図１４は本発明に係る適性検査システムの一実施例を示す。
【００４８】
図１２乃至図１４において、本発明に係る運動支援システムにおける管理サーバ１０のトレーニングメニュー作成手段１０１において、トレーニングメニューを利用者データベースに記録された情報から自動的に作成する場合の流れを示している。
【００４９】
管理サーバ１０のトレーニングメニューデータベースには、あらかじめ性別、年齢、身長、体重、体脂肪率、ＢＭＩ値及び利用者がトレーニングを行う目的、たとえばダイエットや健康維持、あるいはフルマラソンへの挑戦等の要素の組み合わせに対して行うべきトレーニングの種類、順番、負荷、時間又は回数等を設定しておく。
【００５０】
図１２において、まず性別、そして年齢層別に振り分ける。たとえば利用者が１９歳の助成である場合、女性に振り分けられて（ステップＳ００２）、２０歳未満に振り分けられ（ステップＳ００３）、それから体脂肪率が入力される（ステップＳ００４）。この年齢の閾値の幅については、トレーニングメニュー作成者が判断してさまざまな幅を設けることができる。
【００５１】
図１３において、女性で２０歳未満である利用者の体脂肪率が入力される（ステップＳ００４）。たとえば１５％であった場合（ステップＳ０３０）にＢＭＩ値の入力に移る（ステップＳ０３１）。この体脂肪率の閾値の幅については、トレーニングメニュー作成者が判断してさまざまな幅を設けることができる。
【００５２】
図１３において、利用者の体脂肪率１５％が入力されると、その値別に振り分けられ（ステップＳ３０）、利用者の身長データと体重データから算出されるＢＭＩ値の入力に移る（ステップＳ０３１）。たとえば、利用者の身長が１６０ｃｍで体重が４７ｋｇである場合、ＢＭＩ値は１８．３であり、その値で振り分けが行われ（ステップＳ０４０）、それから利用者のトレーニングの目的を入力する（ステップＳ０４１）。このＢＭＩ値の閾値の幅については、トレーニングメニュー作成者が判断してさまざまな幅を設けることができる。
【００５３】
図１４においては、性別、年齢、体脂肪率、ＢＭＩ値などの身体の状態を表すデータによって振り分けられた後に、利用者が希望するトレーニングの目的が入力される（ステップＳ０４１）。例えば利用者のトレーニングの目的がトライアスロンである場合、ダイエットではなく（ステップＳ０６０）、健康維持でもなく（ステップＳ０６３）、マラソンでもなく（ステップＳ０６５）、トライアスロンであるのでその振り分けが行われ（ステップＳ０６６）、そのような身体状態の利用者がトライアスロン競技を行うのに適した身体の部位を訓練するように組み合わされたメニューが選択される（ステップＳ０６７）。
【００５４】
また、トレーニングメニューを消化していくうちに、利用者の身体状況に変化が生じてきた場合や、利用者がトレーニングの目的を変更しようと考えた場合は、そのデータを利用者データベースに再入力すれば、新たなトレーニングメニューが組みなおされる。
【００５５】
このように各種のステップを経て、利用者にとって自分の身体の状態と希望するトレーニングの目的に応じた適切なトレーニングメニューが速やかに選択されて示されるので、利用者にとって高い利便性が得られる。
【００５６】
また、各トレーニングメニューの具体的内容は、管理サーバ１０からトレーニングメニューデータベース１４の内容を変更することで適宜更新することができるが、その場合、利用者端末２０のトレーニングメニューデータベース２００の内容とリンクしなくなってしまう。
【００５７】
そこでそのような場合には、アプリケーションを更新した旨を利用者端末２０に電子メールなどで送信し、管理サーバ１０が利用者端末２０からアクセスされたら、ダウンロード手段１０３によりアプリケーション２００の更新がダウンロードされ、利用者は更新されたトレーニングメニューの内容を利用者端末で見ることができる
【００５８】
なお、本発明は上述した実施の形態で説明した構造には限定されず、各部の構成等を適宜変更し得ることはいうまでもない。
【符号の説明】
【００５９】
１  運動支援システム
１０  管理サーバ
１１  利用者データベース
１４  トレーニングメニューデータベース
１５  アプリケーションデータベース
２０  利用者端末
３０  運動施設端末
４０  通信ネットワーク
５０  身体情報計測手段
１００  利用者情報照会手段
１０１  トレーニングメニュー作成手段
１０２  トレーニングメニュー情報生成手段
１０３  ダウンロード手段
１０４  利用者情報更新手段
１１０  利用者登録情報
１１１  利用者身体データ詳細情報
１１２  トレーニングメニュー情報
２００  アプリケーション
２０１  トレーニングメニューデータベース
２０２  トレーニングメニュー情報解析手段
２０３  トレーニングメニュー情報表示手段
２０４  利用者情報更新手段
【図１】
2015083105.tif 000003
【図６】
2015083105.tif 000004
【図７】
2015083105.tif 000005
【図１１】
2015083105.tif 000006
【図２】
2015083105.tif 000007
【図３】
2015083105.tif 000008
【図４】
2015083105.tif 000009
【図５】
2015083105.tif 000010
【図８】
2015083105.tif 000011
【図９】
2015083105.tif 000012
【図１０】
2015083105.tif 000013
【図１２】
2015083105.tif 000014
【図１３】
2015083105.tif 000015
【図１４】
2015083105.tif 000016